(57)【要約】【課題】  ネオジム磁石などの磁力の強い永久磁石と、電磁石からなる複合磁性体により駆動する、複合磁性体駆動装置を提供する事にある。【解決手段】本発明では電磁石の磁心に永久磁石を付け、その側に片方の極を切り欠いた永久磁石を配置し、電磁石の極性が反転し、磁心と片方の極を切り欠いた永久磁石との磁力バランスが変化することにより、駆動する複合磁性体駆動装置を用いる。【選択図】  図４
2007014181.tif 000002
【特許請求の範囲】
【請求項１】
電磁石の磁心に磁力の強い永久磁石を付け、その側に片方の極を切り欠いた磁力の強い永久磁石を配置し、電磁石の極性が反転し、磁心と片方の極を切り欠いた永久磁石との磁力バランスが変化することにより駆動することを特徴とする複合磁性体駆動装置。
【請求項２】
固定子に片方の極を切り欠いた磁力の強い永久磁石を複数個用い、回転子に電磁石の磁心に磁力の強い永久磁石を付けたものをシャフト周りに複数個取り付け、ブラシと整流子により回転位置に応じて電磁石の極性が反転し、磁心と永久磁石との磁力バランスが変化することにより回転駆動することを特徴とする複合磁性体回転駆動装置。
【発明の詳細な説明】
【技術分野】
【０００１】  本発明は電磁石の磁心に磁力の強い永久磁石を付けることを特徴とする複合磁性体駆動装置に関するものである。
【背景技術】
【０００２】  従来の永久磁石形ＤＣモーターは、固定子にフェライト磁石などの磁力の弱い磁石を用い、回転子に電磁石を用いていた。
また、リニアモーターなど電磁石と磁石により直線的に駆動する機器も、フェライト磁石などの磁力の弱い磁石と電磁石の組み合わせによるものが多かった。
【技術の開示】
【発明が解決しようとする課題】
【０００３】  これは次のような欠点があった。
従来の永久磁石形ＤＣモーターは、電磁石と磁石を吸引反発させる構造であり、回転駆動する際、固定子を吸引反発させる負荷に見合うだけの大きな電力を必要とし、電気効率が悪かった。
また、モーター出力を上げようとすると、固定子にネオジム磁石などの磁力の強い磁石を使用しなければならないが、磁石の磁力が強すぎ、電磁石の磁心と引き合う力が強く、回転しにくくなる欠点があった。
また、従来のリニアモーターなど電磁石と磁石により直線的に駆動する機器も同様であった。
【課題を解決するための手段】
【０００４】  ネオジム磁石などの磁力の強い永久磁石（１）と、電磁石（２）を反発させようとすると、永久磁石（１）と電磁石（２）の磁心（３）同士引き合う力が強く、少ない電力では反発させることが困難であった（図１）。
ここで電磁石（２）の磁心（３）にネオジム磁石などの磁力の強い永久磁石（４）を付けると、永久磁石（４）の磁力の影響で少ない電力でも容易に反発する（図２）。
また、この電磁石（２）と永久磁石（１）間の吸引力は、磁心（３）に永久磁石（４）を付けた状態でも、従来のフェライト磁石と電磁石間の吸引力より、同じ入力電力で数倍の強さとなる。
さらに、磁心（３）の永久磁石（４）の付いた面の反対側は、永久磁石（４）の磁力と、電磁石（２）の磁力をあわせて永久磁石（１）を反発するので、フェライト磁石と電磁石の組み合わせによる反発力より大きな値となる（図３）。
本発明は、この自然法則を利用し、永久磁石（４）を、電磁石（２）の磁心（３）に付け、任意に電磁石（２）の磁力と極性を操作できるようにする。
磁心（３）と片方の極を切り欠いた磁力の強い永久磁石（５）との磁力バランスが変化することにより、駆動することを特徴とする複合磁性体駆動装置（図４）。
次に、ネオジム磁石などの磁力の強い永久磁石（４）を、電磁石（２）の磁心（３）に付けたものを複数個シャフト（６）の周りに配置し、片方の極を切り欠いた磁力の強い永久磁石（５）を固定子としてケース（７）内に複数個取り付ける。
回転子と固定子の磁力バランスが変化することにより、回転駆動することを特徴とする複合磁性体回転駆動装置（図５）。
【発明の効果】
【０００５】  従来の往復駆動機器より、少ない電力で強い力を出す電気効率の良い往復駆動機器ができる。
また、同様に従来の永久磁石形ＤＣモーターより小型で、より少ない電力で強い回転駆動する電気効率の良いモーターができる。
【発明を実施するための最良の形態】
【０００６】  以下、本発明の実施の形態について説明する。
電磁石（２）の磁心（３）に、ネオジム磁石などの磁力の強い永久磁石（４）を付け、かつ片方の極を切り欠いた磁力の強い永久磁石（５）から構成される。
電磁石（２）の極性が反転し、磁心（３）と永久磁石（５）との磁力バランスが変化し、駆動することを特徴とする複合磁性体駆動装置（図４）。
次に電磁石（２）の磁心（３）に、ネオジム磁石などの磁力の強い永久磁石（４）を付け、それを複数個シャフト（６）の周りに配置し、片方の極を切り欠いた磁力の強い永久磁石（５）を固定子としてケース（７）内に複数個取り付ける。
電磁石（２）に電力を供給するためにブラシ（８）と整流子（９）を用いる。
電磁石（２）の極性が反転し、回転子と固定子の磁力バランスが変化し、回転駆動することを特徴とする複合磁性体回転駆動装置（図５）。
【実施例１】
【０００７】  従来の家電製品に使用することにより、小型で電力消費量の少ない家電製品ができる。
【実施例２】
【０００８】  電気自動車などに取り付けることにより、エネルギー効率のよい交通手段ができ、より経済的なものとなる。
また、使用エネルギーを削減するので、現在問題になっている環境問題の解決に貢献できる。
【図面の簡単な説明】
【０００９】
【図１】ネオジム磁石などの磁力の強い永久磁石と電磁石に反発力を発生させている説明図。
【図２】ネオジム磁石などの磁力の強い永久磁石を電磁石の磁心に付け、磁心の先端に反発力を発生させている説明図。
【図３】ネオジム磁石などの磁力の強い永久磁石を電磁石の磁心に付け、磁心の下面に反発力を発生させている説明図。
【図４】複合磁性体駆動装置の構成図。
【図５】複合磁性体回転駆動装置の構成図。
【符号の説明】
【００１０】    １  磁力の強い永久磁石
２  電磁石
３  磁心
４  磁力の強い永久磁石
５  片方の極を切り欠いた磁力の強い永久磁石
６  シャフト
７  ケース
８  ブラシ
９  整流子
【図１】
2007014181.tif 000003
【図２】
2007014181.tif 000004
【図３】
2007014181.tif 000005
【図４】
2007014181.tif 000006
【図５】
2007014181.tif 000007
【手続補正書】
【提出日】平成17年10月16日(2005.10.16)
【手続補正１】
【補正対象書類名】明細書
【補正対象項目名】０００４
【補正方法】変更
【補正の内容】
【０００４】  ネオジム磁石などの磁力の強い永久磁石（１）と、電磁石（２）を反発させようとすると、永久磁石（１）と電磁石（２）の磁心（３）同士引き合う力が強く、少ない電力では反発させることが困難であった（図１）。
ここで電磁石（２）の磁心（３）にネオジム磁石などの磁力の強い永久磁石（４）を付けると、永久磁石（４）の磁力の影響で少ない電力でも容易に反発する（図２）。
また、この電磁石（２）と永久磁石（１）間の吸引力は、磁心（３）に永久磁石（４）を付けた状態でも、従来のフェライト磁石と電磁石間の吸引力より、同じ入力電力で数倍の強さとなる。
さらに、磁心（３）の永久磁石（４）の付いた面の反対側は、永久磁石（４）の磁力と、電磁石（２）の磁力をあわせて永久磁石（１）を反発するので、フェライト磁石と電磁石の組み合わせによる反発力より大きな値となる（図３）。
本発明は、この自然法則を利用し、永久磁石（４）を、電磁石（２）の磁心（３）に付け、任意に電磁石（２）の磁力と極性を操作できるようにする。
磁心（３）と片方の極を切り欠いた磁力の強い永久磁石（５）との磁力バランスが変化することにより、駆動することを特徴とする複合磁性体駆動装置（図４）。
ここで永久磁石（４）の極を図４と逆にして取り付け、電磁石にて吸引させると、図４の複合磁性体駆動装置より強い吸引力が任意に発生する（図６）。
小形軽量で、かつ少ない電力で強い吸引力が発生する特徴を持つ。
次に、ネオジム磁石などの磁力の強い永久磁石（４）を、電磁石（２）の磁心（３）に付けたものを複数個シャフト（６）の周りに配置し、片方の極を切り欠いた磁力の強い永久磁石（５）を固定子としてケース（７）内に複数個取り付ける。
回転子と固定子の磁力バランスが変化することにより、回転駆動することを特徴とする複合磁性体回転駆動装置（図５）。
【手続補正２】
【補正対象書類名】明細書
【補正対象項目名】０００６
【補正方法】変更
【補正の内容】
【０００６】  以下、本発明の実施の形態について説明する。
電磁石（２）の磁心（３）に、ネオジム磁石などの磁力の強い永久磁石（４）を付け、かつ片方の極を切り欠いた磁力の強い永久磁石（５）から構成される。
電磁石（２）の極性が反転し、磁心（３）と永久磁石（５）との磁力バランスが変化し、駆動することを特徴とする複合磁性体駆動装置（図４、図６）。
次に電磁石（２）の磁心（３）に、ネオジム磁石などの磁力の強い永久磁石（４）を付け、それを複数個シャフト（６）の周りに配置し、片方の極を切り欠いた磁力の強い永久磁石（５）を固定子としてケース（７）内に複数個取り付ける。
電磁石（２）に電力を供給するためにブラシ（８）と整流子（９）を用いる。
電磁石（２）の極性が反転し、回転子と固定子の磁力バランスが変化し、回転駆動することを特徴とする複合磁性体回転駆動装置（図５）。
【手続補正３】
【補正対象書類名】明細書
【補正対象項目名】０００９
【補正方法】変更
【補正の内容】
【０００９】
【図１】ネオジム磁石などの磁力の強い永久磁石と電磁石に反発力を発生させている説明図。
【図２】ネオジム磁石などの磁力の強い永久磁石を電磁石の磁心に付け、磁心の先端に反発力を発生させている説明図。
【図３】ネオジム磁石などの磁力の強い永久磁石を電磁石の磁心に付け、磁心の下面に反発力を発生させている説明図。
【図４】複合磁性体駆動装置の構成図。
【図５】複合磁性体回転駆動装置の構成図。
【図６】図４の装置の永久磁石（４）の極性を逆にして取り付けた強い吸引力の発生する複合磁性体駆動装置の構成図。
【手続補正４】
【補正対象書類名】図面
【補正対象項目名】図６
【補正方法】追加
【補正の内容】
【図６】
2007014181.tif 000008